(57)【要約】【課題】音の音響的フィードバックの可能性が大幅に阻止される、前段に記載のタイプの補聴器を提供する。【解決手段】補聴器は装置筐体の近位側のマイクロホンと、伝送チャネルを介して装置の放音開口と開放連通している拡声器とを備える。音処理装置がマイクロホンにより受音された音を拡声器に対して増幅した状態で生成するように機能する。装置筐体は、内部に電池を受容するための随意に封止された電池室を有する遠位側に設けられている。音響フィードバックを防止するために、伝送チャネルは音響的にマイクロホンから少なくともほぼ全体的に離間されている。電池室は電池の寿命を延ばす目的の通気手段を備える。【選択図】図３
2009518942.tif 000002
【特許請求の範囲】
【請求項１】
近位側のマイクロホンと、内部に電池を受容する電池室と、拡声器とを有する装置筐体を備え、かつ前記マイクロホンにより受信された音信号を処理して前記音信号を少なくとも部分的に処理された状態で前記拡声器に送信する音処理装置を備え、前記拡声器が、少なくとも１つの伝送チャネルを介して前記装置の遠位側の放音開口と開放連通しているとともに、前記電池室の少なくとも一部が前記拡声器から遠位に延びている、ユーザの耳道内に実質的に全体的に受容されるように構成された補聴器において、その外側で前記装置が前記耳道内に少なくとも局所的に密着するように構成され、前記電池室が音響的に前記少なくとも１つの伝送チャネルから離間されているとともに、前記装置内で前記少なくとも１つの伝送チャネルが音響的に前記マイクロホンから離間されていることを特徴とする補聴器。
【請求項２】
前記電池室が少なくとも１つの通気チャネルを介して、前記装置筐体の前記近位側の通気開口と開放連通しているとともに、音響的に、前記伝送チャネルが前記電池室から少なくともほぼ全体的に離間されていることを特徴とする請求項１に記載の補聴器。
【請求項３】
前記電池室に、前記電池室を音響的に少なくともほぼ全体的に封止する交換可能カバーが設けられていることを特徴とする請求項２に記載の補聴器。
【請求項４】
前記音処理装置がプログラム可能であるとともに、前記装置筐体が近位部に、前記音処理装置のプログラミング入力に結合されたプログラミングコネクタを備え、そのプログラミングコネクタがプログラミング手段の相補コネクタに動作接続可能に構成されていることを特徴とする請求項１に記載の補聴器。
【請求項５】
前記装置筐体が前記近位側にスイッチも備えることを特徴とする請求項４に記載の補聴器。
【請求項６】
前記スイッチが電子または磁気パルススイッチを備えることを特徴とする請求項５に記載の補聴器。
【請求項７】
近位側のマイクロホンと、遠位側の拡声器と、内部に電池を受容する電池室とを備え、かつ前記マイクロホンにより受音された音を少なくとも部分的に処理された状態で前記拡声器に対して生成するプログラム可能な音処理装置を備える補聴器において、少なくとも前記マイクロホンおよび前記拡声器が、前記構成要素を相互に接続する電子配線と一緒に共通担体上に配置されるとともに、前記装置内で事前取り付け組立体として一緒に配置され、かつ前記マイクロホンと前記拡声器との間に振動吸収手段が設けられていることを特徴とする補聴器。
【請求項８】
前記振動吸収手段が前記担体のループ状延長部を備えることを特徴とする請求項７に記載の補聴器。
【請求項９】
前記装置筐体が装着体で少なくとも部分的に取り囲まれ、その外壁が前記ユーザの耳道内に、少なくとも局所的に封止状に位置するように構成されているとともに、前記装着体が前記放音開口を備えることを特徴とする請求項１〜８のいずれか１項に記載の補聴器。
【請求項１０】
前記装着体が、少なくとも一方側で開口するとともに内部に前記装置筐体が取り外し可能に配置されるキャビティを有するスリーブを備えるとともに、前記装置筐体の外壁が前記キャビティの内壁に対して封止する位置にあることを特徴とする請求項９に記載の補聴器。
【請求項１１】
前記装置筐体の前記外壁および前記キャビティの前記内壁に相互に周囲リブまたは少なくともほぼ相補的周囲溝が設けられており、相互封止状に作用可能に構成されていることを特徴とする請求項１０に記載の補聴器。
【請求項１２】
前記拡声器と前記放音開口との間の前記装置筐体の前記外壁内の溝が、少なくとも部分的に前記伝送チャネルを備えることを特徴とする請求項１０または１１に記載の補聴器。
【請求項１３】
前記拡声器と前記放音開口との間の前記装着体の内壁内の溝が、少なくとも部分的に前記伝送チャネルを備えることを特徴とする請求項１０、１１または１２に記載の補聴器。
【請求項１４】
前記装着体が、前記装置筐体の前記近位側を超えて延びる引張部材を備えることを特徴とする請求項９〜１３のいずれか１項に記載の補聴器。
【請求項１５】
前記引張部材が、前記装着体から一体部分として延びる一体型タブを備えることを特徴とする請求項１４に記載の補聴器。
【請求項１６】
前記装着体の周囲壁が少なくとも部分的に可撓性であるとともに、周囲壁自体を前記耳道の生来の生体構造に対して調節可能に構成されていることを特徴とする請求項９〜１５のいずれか１項に記載の補聴器。
【請求項１７】
前記装着体の前記周囲壁が、周囲全体に延びるとともに前記ユーザの前記耳道内に密着状に位置することが可能に構成されている１つまたは複数の可撓性フィンを備えることを特徴とする請求項１６に記載の補聴器。
【請求項１８】
前記拡声器と前記放音開口との間の前記伝送チャネルが耳垢用のバッファ空間を備えることを特徴とする請求項１〜１７のいずれか１項に記載の補聴器。
【請求項１９】
前記拡声器と前記放音開口との間の前記伝送チャネルが少なくとも１つの湾曲部を備えることを特徴とする請求項１〜１８のいずれか１項に記載の補聴器。
【請求項２０】
前記放音開口が前記装置の遠位端内の凹部に開口していることを特徴とする請求項１〜１９のいずれか１項に記載の補聴器。
【請求項２１】
前記凹部が、遠位端に少なくとも１つの溝を備えることを特徴とする請求項２０に記載の補聴器。
【請求項２２】
前記少なくとも１つの溝が、異なる方向に少なくとも突起状に延びていることを特徴とする請求項２１に記載の補聴器。
【発明の詳細な説明】
【技術分野】
【０００１】
本発明は、近位側のマイクロホンと、少なくとも１つの伝送チャネルを介して装置の放音開口と開放連通している拡声器と、内部に電池を受容する電池室とを有する装置筐体を備え、かつマイクロホンにより受音された音を少なくとも部分的に処理された状態で拡声器に対して生成する音処理装置を備え、少なくとも局所的に装着された状態でユーザの耳道内に少なくともほぼ完全に受容されるように構成された補聴器に関する。
【背景技術】
【０００２】
このような補聴器は例えば国際公開第０１／４１５０３号パンフレットから既知である。ここに記載の補聴器は互いに取り外し可能に接続された装置筐体の２つの部品を備えるとともに、マイクロホンを有する近位側に設けられている。装置はさらにマイクロホンにより受音された音を、音処理装置によって増幅および／または処理した後、装置の遠位外端上に位置する放音開口に対して生成する拡声器を備える。２つの装置部品は、拡声器の遠位に、拡声器と放音開口との間の伝送チャネルおよび電池室を両方とも形成するキャビティを取り囲む。電池室は動作中に装置に電力供給する電池用の空間を提供する。２つの部品の外側シェルはここではユーザの耳道の個人的な生体構造の大きさに形成されているとともに内部に密着する。この補聴器は、特にその部品が耳の外側に突出したり、見えたりすることがないように耳道内に深く配置することを意図している。
【０００３】
一部にはそのような補聴器において、一方でマイクロホンを有する近位側と他方で放音開口を有する遠位側との間の比較的短い距離のため、いわゆる音響フィードバックという極めて現実的な危険性がある。放音開口を介する拡声器により生成された音はここでマイクロホンによって拾われて、その後増幅または処理され、もう一度拡声器を介して生成されるとともに再度マイクロホンによって拾われる等して、これが最終的に非常に不愉快なピーピー音またはすべてを掻き消すキーキー音を生じる。このようなフィードバックはユーザにとって非常に不愉快であることは言うまでもない。
【発明の開示】
【発明が解決しようとする課題】
【０００４】
本発明は特に、そのような音の音響的フィードバックの可能性が大幅に阻止される、前段に記載のタイプの補聴器を提供することを目的とする。
【課題を解決するための手段】
【０００５】
意図する目的を達成するために前提部に記載のタイプの装置は、電池室が拡声器から少なくとも部分的に遠位に延びているとともに、音響的に装置内の少なくとも１つの伝送チャネルが少なくともほぼ全体的にマイクロホンから離間されているという本発明による特徴を有する。この音響的離間は本明細書では装置を介して内部的および装置の周囲で外部的の両方に存在し、拡声器により放音された音が、伝送チャネルから直接マイクロホンへ逃げることができないようにする。ユーザの耳道内の装置の密着により、ここでは装置の外壁に沿って遠位側から近位側へ音響経路がほとんどといっていいほど設けられない一方で、装置自体内で伝送チャネルからマイクロホンへの音響経路も少なくともほぼ全体的に排除される。音響フィードバックの危険性はそのため大幅に制限される。
【０００６】
好適な実施形態において本発明による補聴器は、電池室が少なくとも１つの通気チャネルを介して、装置筐体の近位側の通気開口と開放連通しているとともに、音響的に伝送チャネルが電池室から少なくともほぼ全体的に離間されているという特徴を有する。音響的に伝送チャネルが電池室から少なくともほぼ全体的に離間されているため、出力音は電池室内に侵入することができない。そのため電池室は通気突起を備えることができるとともに、音響フィードバックの危険性なく装置の近位マイクロホン側で外気と開放連通している。特にこれは電池の動作および寿命を大幅に向上させることが分かっている。
【０００７】
本発明による補聴器のさらなる実施形態は、電池室に、電池室を音響的に少なくともほぼ全体的に封止する交換可能カバーが設けられているという特徴を有する。それにもかかわらず寿命が尽きたとき必要に応じて電池を交換可能にする電池室の意図する音響封止が、そのように比較的単純に設けられる。
【０００８】
補聴器の最適動作は、実際にはユーザの個別聴覚障害に対して音処理装置の処置特性を個別に調節することによってのみ達成されることが多い。この目的のため、音処置装置は個々にプログラムされなければならない。既知の補聴器の場合、このため装置を耳からとりはずして特別な基準装置のためのスペースを作らなければならない。その後元の装置をそれにより決定された処理特性に基づいて調節しなければならない。この目的のため装置を外して、この目的のために特別に設計されたプログラムミング装置に配置して、所望の処理特性をロード可能にする。これは特に手間や時間がかかるだけでなく、熟練のオーディオロジストにより行われなければならない。さらなる点で本発明は特に、かなり単純な方法で電子的に調節可能な補聴器を提供するというというさらなる目的を有する。
【０００９】
またこの目的のため本発明は、近位側のマイクロホンと、少なくとも１つの伝送チャネルを介して装置の放音開口と開放連通している拡声器と、内部に電池を受容する随意に選択された電池室とを有する装置筐体を備え、かつマイクロホンにより受音された音を拡声器に対して少なくとも部分的に増幅した状態で生成するプログラム可能な音処理装置を備え、装置筐体が近位部に、音処理装置のプログラミング入力に結合されたプログラミングコネクタを備え、そのプログラミングコネクタがプログラミング手段の相補コネクタに動作接続可能に構成されている点で、本発明によるこの目的に対して特徴付けられる補聴器を提供する。プログラミングコネクタのため、適当なプログラミング装置を直接接続することにより、補聴器を比較的簡単な方法で常に調節および微調整することができる。この目的のために補聴器を耳から離すまたは外す必要がないとともに、この目的のために必要な専門知識または機器は限られている。ユーザは個人処理特性の調節中に継続して聴くことができるため、ユーザからのフィードバックが常に可能である。
【００１０】
電池の寿命を延ばす観点で、本発明による補聴器のさらなる実施形態は、装置筐体が近位側にスイッチも備えるという特徴を有する。スイッチを用いて装置は例えば夜間にスイッチを切ることが出来るため、不要なエネルギー消費を回避できる。ここで装置の電気構成要素への電源を直接開閉するスイッチを選ぶことが可能である。しかし好適な実施形態において本発明による装置は、スイッチが電子または磁気パルススイッチを備えるという特徴を有する。このようなパルススイッチにタッチすると、例えばスイッチフランクまたはスイッチパルスの形状のスイッチ信号のみを生じ、それに基づいて装置は特別な動作モードでスイッチオン／オフしまたは設定され、これにより装置にロードされる特別なプログラムコードが付される。これは装置の多用途性を大幅に増す。
【００１１】
本発明のさらなる目的は補聴器の組立および製造を単純化することである。この目的のため近位側のマイクロホンと、遠位側の拡声器と、内部に電池を受容する電池室と、マイクロホンにより受音された音を少なくとも部分的に処理した状態で拡声器に対して生成するプログラム可能な音処理装置を備える補聴器は、少なくともマイクロホンおよび拡声器が、構成要素を相互に接続する電子配線と一緒に共通担体上に配置されるとともに、装置内で事前取り付け組立体として一緒に配置され、かつマイクロホンと拡声器との間に振動吸収手段が設けられているという本発明による特徴を有する。このように予め電子構成要素を必要な導電接続と一緒に可撓性担体上に収容することにより、全体の最終的な組立が単純化されるだけでなく、構成要素も互いに正しい距離で固定される。このため組立の中間段階で装置の正しい動作の完全チェックを既に行うことがさらに可能である。本明細書の振動吸収手段は、振動が１つの音響変換器、例えばマイクロホンまたは拡声器から他方に伝送されないようにするため、それらの間の音響フィードバックを抑制する。本明細書の補聴器の特定の実施形態は、振動吸収手段が担体のループ状延長部を備えるという本発明による特徴を有する。
【００１２】
補聴器のさらなる特定の実施形態は、装置筐体が装着体で少なくとも部分的に取り囲まれ、その外壁がユーザの耳道内に、少なくとも局所的に封止状に位置するように構成されているとともに、装着体が放音開口を備えるという本発明による特徴を有する。装置筐体は本明細書で標準的構成要素として連続して製造することができる一方で、装着体は随意に耳内の所望の装着を得るためのサイズに個別に形成される。これはロジスティックおよび製造の観点から大幅に効率的利点を生じる。２つの構成要素が相互に解放可能であるため、装置はメンテナンス、補修および検査のためアクセス可能である。
【００１３】
本発明による補聴器の確定的実施形態は、装着体が、少なくとも一方側で開口するとともにその内部に装置筐体が取り外し可能に配置されるキャビティを有するスリーブを備えるとともに、装置筐体の外壁がキャビティの内壁に対して封止する位置にあるというさらに特定の特徴を有する。装置筐体を本明細書では比較的容易に装着体のキャビティにそれぞれ押し込み、引っ張り出すことができる。本明細書のさらに好適な実施形態は、装置筐体の外壁およびキャビティの内壁に相互に周囲リブまたは少なくともほぼ相補的周囲溝が設けられており、相互封止状に作用可能に構成されているという本発明による特徴を有する。本明細書の溝およびリブは所望の相互音響封止のみならず、２つの部分の正確な確定的相互軸方向の位置決めおよび固定を確実にする。長軸の周囲の半径方向の確定的固定も達成するために、突起および相補キャビティをここで随意に設けてもよい。
【００１４】
補聴器のさらなる特定の実施形態は、拡声器と放音開口との間の装置筐体の外壁内の溝が、少なくとも部分的に伝送チャネルを備えることを特徴とする。このような溝を比較的容易に配置または設けることができるとともに、その上にはまる装着体により最終的に封止される。その代わりにまたは加えて伝送チャネルを装着体内に延ばすことができる。本発明による補聴器のさらに特定の実施形態はこの目的のため、拡声器と放音開口との間の装着体の内壁内の溝が少なくとも部分的に伝送チャネルを備えるという特徴を有する。
【００１５】
必要に応じて耳からの補聴器の問題のない取り外しを可能にするため、本発明による補聴器のさらなる実施形態は、装着体が装置筐体の近位側を超えて延びる引張部材を備えるという特徴を有する。そのため補聴器を引張部材において近位側で把持することにより、耳から全体的に引っ張り出すことができる。このような引張部材を様々な方法で、例えばコードまたは紐として設けることができる。しかし補聴器のさらに好適な実施形態は、引張部材が装着体から一体部分として延びる一体型タブを備えるという本発明による特徴を有する。このような一体タブは装着体と一緒に一体部分として製造されるため、追加の組立および製造ステップは必要ない。
【００１６】
装置の近位側への出力音の音響戻り経路を排除するためには、耳間内の装置の正確な装着が非常に重要である。耳道の正確な密着プリントを作製してそれを元に装置を個別にユーザのサイズに合わせる特別フィッティングにより、このような装着を得ることが可能である。しかし本発明による補聴器の好適な実施形態は、装着体の周囲壁が少なくとも局所的に可撓性であるとともに、周囲壁自体を耳道の生来の生体構造に対して調節可能に構成されており、特に装着体の周囲壁が、周囲全体に延びるとともにユーザの耳道内に密着状に位置することが可能に構成されている１つまたは複数の可撓性フィンを備えるという特徴を有する。このように自己調節装着体を利用することにより、限られた数の標準サイズのみで十分であり、材料自体は耳道への所望の密着接続を提供する。意図する戻り封止が得られるのみでなく、装着体の比較的軟質材料が装置の着用者の快適性に大幅に寄与することが分かる。
【００１７】
補聴器の動作は実際には最終的に劣化することが分かることが多い。これは伝送チャネルの全体的または部分的閉塞の結果であることが多いことが分かっている。このような閉塞は通常、耳くそとも称される、外耳道内の皮脂腺により分泌されるとともに、補聴器の遠位側に不可避に蓄積する耳垢、黄色く脂っぽい物質の結果である。比較的脆弱な拡声器は耳垢がないようにすることが重要である。この観点で本発明による補聴器のさらに好適な実施形態は、拡声器と放音開口との間の伝送チャネルが耳垢用のバッファ空間を備えるという特徴を有する。このようなバッファ空間のため耳垢は拡声器に到達する前に蓄積でき、これにより動作の影響を受けない期間が延びる。補聴器のさらに特定の実施形態は、拡声器と放音開口との間の伝送チャネルが少なくとも１つの湾曲部を備えるという本発明による特徴を有する。このような湾曲した少なくとも直線ではない伝送チャネルは同様に拡声器の方向の耳垢に対するバリアを形成するとともに、バッファ空間に加えてまたは代わりに適用できる。湾曲部の生じ得る閉塞の場合またはバッファ空間が満杯である場合その両方共、補聴器の脆弱な部分に損傷を与える危険性なしに比較的容易に掃除できる。
【００１８】
補聴器のさらに好適な実施形態は、放音開口が装置の遠位端内の凹部に開口しているという本発明による特徴を有する。放音開口のこのような凹部位置は、耳垢の遠位蓄積に対するさらなるバリアを提供するため、放音開口はより長く開放状態にある。放音開口の位置で多かれ少なかれ湾曲している耳道という不利な場合に放音開口からの音の自由通過を向上させるために、本発明による補聴器のさらに特定の実施形態は、凹部が遠位端に少なくとも１つの溝を備え、特に少なくとも１つの溝が少なくとも２方向に少なくとも突起状に延びているという特徴を有する。少なくともほぼすべての場合このような溝または溝の組立体のリーチは（下層）通路を提供し、特に溝が多数の方向に延びる場合にはその通路に沿って装置の出力音が逃げることができる。
【００１９】
ここで例示的実施形態および添付図面に基づいて本発明をさらに説明する。
【００２０】
図は大部分に対して概略的であるとともに一定の縮尺で描かれてはない。明瞭化のため特にある寸法が多かれ少なかれ誇張されている場合がある。図中対応する部分は同一参照番号で指示されている。
【発明を実施するための最良の形態】
【００２１】
図１の補聴器は装置筐体１０を備え、装置筐体１０内に装置のすべての能動部品が収容されている。装置筐体それ自体は近位側１１にマイクロホン３１と、プログラミングコネクタ３３と、電子または磁気パルススイッチ３２とを備える。装置筐体１０は形状保持しているとともに、この場合ＡＢＳなどの比較的硬質プラスチックから製造され、電子部品が内部に収容された状態で、連続的に製造可能な標準的モジュールを形成している。
【００２２】
ユーザの耳道内の最適な装着のため、装置筐体１０は耳道との接触を提供する装着体２０内に遠位側に取り外し可能に取り付けられる。装置筐体１０は本明細書では図２および３も参照すると、装着体２０の中心キャビティ２１内に突出しているため、装着体２０は装置筐体１０の周囲にスリーブとして延びている。装置筐体１０以外、装着体２０は軟らかい比較的可撓性プラスチック、例えばシリコンまたは他の合成ゴムで製造されているため、自身を耳道の生来の生体構造に快適且つ効率的に調整することができる。生体適合性プラスチックは装着体２０に好適に用いられる。
【００２３】
外壁２２上に装着体２０は多数の比較的薄い可撓性フィン２３を備え、フィン２３は耳道の形状を調整するとともに適正な音響封止を確保する全体の能力にさらに寄与する。フィン２３がさらにまた内部に装置筐体１０を有する装着体２０と耳道の内壁との間の物理的接触を限定することにより、いわゆる閉塞現象も低減される。このように耳内の装置の密着が得られるだけでなく、比較的軟らかい装着体は装置のユーザ快適性にも寄与する。
【００２４】
装着体も連続的に作製された標準的物品であるため、限られたサイズで供給して多様なユーザに満足な装着を提供しなければならない。また本発明の範囲内で可撓性またはより硬い形状保持装着体を適用することも可能であり、その装着体は特にユーザの耳道に可能な限り正確に密着するよう、測定するように作製されるとともに個別にサイズに合わせて形成される。しかし図示の可撓性装着体はこのような個別採寸を省くことができるとともに、その代わりに限定された数の標準サイズのみを利用可能であるという利点を有し、これは実際に多数のケースを十分にカバーする。
【００２５】
耳内の装着体２０の密着のため、装置の遠位側１２から近位側１１まで装置の外壁２１に沿った音響経路は実質的にない。また装置筐体１０と装着体２０との間のそのような音響戻り経路を防止するために、装置筐体はその外壁の周囲全体にわたり、装着体２０内のキャビティ２１の内壁２５内の相補リブ２４内に密着位置する周囲溝１３を備える。装置筐体１０を装着体２０内に配置することにより、溝１３は最終的にリブ２４上にパチンと留まる。溝１３およびリブ２４はそのため２つの部分１０、２０間の音響封止を提供するとともに、さらに正確な相互の固定および位置決めを提供する。必要に応じて溝１３を反対に装着体の内壁に設けるとともにリブを装置筐体の外壁上に設けることが可能であり、それにより変更すべきところは変更して２つの部分間に同じ相互封止および軸固定が確保できる。
【００２６】
図２を参照すると遠位端１２に、装着体は外壁２１内の凹部２７内に開口する偏心放音開口２６を備える。この目的のため放音開口２６が開口する星形溝２７が外壁内のこの位置に設けられている。４つまたはそれ以上の枝または１つまたは複数の相互接続リングを有する十字または星も随意に凹部２７として用いることができる。底部に放音開口２６を有するこのような十字または異なる、場合によっては交差方向に延びる他の溝形状は、耳道が局所的にきつく湾曲している不利な場合でも、音が放音開口２６から逃げられる自由（下層）通路を提供する。
【００２７】
装置を耳から問題なく取り外し可能にするために、装着体２０にはその上に一体部分として形成されるとともに装置筐体１０の近位側１１を超えて延びる一体型タブの形状の引張部材２８が設けられている。このタブ２８により装置を把持して、内部に装置筐体１０を有する装着体２０を一体的に取り外すことができる。このような引張タブの代わりにまたは加えて、装置筐体１０上に他の引張部材、例えば引張コードなどを提供することが可能であり、それを用いて装置を耳から取り外すことができる。
【００２８】
装置の拡声器３４は動作中、処理および／または増幅音を伝送する目的のため、内部伝送チャネル１４〜１６を介して放音開口２６と開放連通している。これは図４および５の切欠き図にさらに示されている。この場合伝送チャネル１４は２つの湾曲脚１５を備え、それを介して音が拡声器３４から放音開口２６へ搬送される。湾曲部１５は放音開口２６を介して進入可能な侵入耳垢に対するバリアを提供する。加えてバッファ空間１６が拡声器３４と放音開口２６との間の伝送チャネル内、この場合開口２６の直前に設けられ、生じ得る耳垢がさらに進入する前にそこに蓄積可能であり、そうでなければ例えば拡声器３４が不潔になるまたは伝送チャネルが完全に閉鎖されるため、最終的に装置の誤作動を生じる恐れがある。バッファ空間１６および伝送チャネル１４、１５は共に一般的な清浄剤を利用して掃除が比較的容易である。そのため耳垢防護部１５、１６が伝送チャネル内に設けられており、装置の耐用年数と動作を大幅に向上させる。
【００２９】
装置筐体１０の外壁内に収容されるだけでなく、伝送チャネルを全体的または部分的に装着体２０内に収容することができる。この目的のため対応溝を、例えば拡声器３４と放音開口２６との間の適当な箇所に装着体２０のキャビティ２１の内壁内に設けることができる。その場合上記のような耳垢保護部を装着体の内壁内の溝内に全体的または部分的に一体化することもできる。
【００３０】
また図６を見ると装置筐体１０の遠位側に位置するのは電池室１７であり、内部にボタン電池３５を有する。伝送チャネル１４〜１６は分離壁１８によって電池室１７から音響的に完全に分離されており、分離壁１８は組み付け状態では装着体２０のキャビティ２１の可撓性内壁２５に密着接続している。さらにまたここで不図示の交換可能カバーを電池３５上に随意に配置することができ、カバーは装着体２０がなくても電池室１７を伝送チャネル１４〜１６から音響的に完全に封止する。反対側では伝送チャネル１４〜１６は溝１３によって音響的に結合され、溝１３も装着体の内壁上で全体的に音響的に封止する。そのため伝送チャネル１４〜１６は少なくともほぼ全体的に装置筐体１０の残りの部分から、それにより特にマイクロホン３１から音響的に絶縁され、音響的フィードバックを防止する。
【００３１】
電池３５の適正な通気を確保するために、電池室１７はこの目的のために設けられた通気チャネル１９を介して新鮮な外気に開放連通しており、通気チャネル１９は装置筐体１０の近位側１１のマイクロホン３１付近の通気開口で開口している。
【００３２】
個人的処理特性が補聴器の音処置装置３７にロードできるように設けられるプログラミング手段を、プラグラミングコネクタ３３に接続できる。このためこの装置をユーザの個人的要件に合わせて調節できる。コネクタ３３のため装置を耳から離すまたは外すことなくこの特性を常に調節および微調整することができる。動作中マイクロホン３１は近位側の音を受音するとともに、それを音処理装置３７の信号入力に伝送する。音処理装置３７は内部でプログラムされた処理特性に基づいて入力信号を増幅するとともに処理し、これを拡声器３４への出力信号として生成する。音信号は拡声器から伝送チャネル１４〜１６を介して装置の放音開口２６に搬送され、ここで耳道に入り増幅且つ場合によっては処理形状でユーザの聴覚器官によって感知される。装置のこの遠位側から近位側への開放音響接続がないため、音の音響フィードバックは効果的に阻止される。
【００３３】
装置の単純化組み付けのために、マイクロホン３１、プログラミングコネクタ３３、スイッチ３２、音処理装置３７、拡声器３４、および装置の一組の電池コンタクト３６などのすべての電子構成要素は、図７および８に見えるように若干可撓性担体３０上に事前取り付けされている。この例ではカプトン（登録商標）（Ｋａｐｔｏｎ（登録商標））というブランド名で市販されているポリイミドフィルムの担体が利用されるが、他の材料も本発明の範囲でこの点で適当である。加えて担体３０は異なる構成要素を互いに接続するのに必要な導電体トラックを備える。構成要素はそのため互いに対して正確に固定されているとともに、全体に装置筐体１０が設けられる前に正確な動作の予備テストができる。拡声器３４は本明細書で構成要素の他の部分に対して直接ではなく担体３０のループ状延長部３８を介して取り付けられており、そのためさらにある振動および衝撃吸収能力を提供する。振動変換器、例えばここでは拡声器３４の多少硬質担体３０上への直接取り付けは、振動が他の構成要素、特にマイクロホン３１などの他の変換器に伝送させる恐れがあることが分かっている。振動吸収手段、例えばここではループ状延長部３８はこの現象を抑制するため、担体３０上の様々な構成要素３１、３４間の音響フィードバックの発生のリスクを防止する。
【００３４】
担体３０は筐体１０内に屈曲状態で収容されており、そのため様々な構成要素が各々正しい位置に位置決めされる。本明細書では上に構成要素を有した状態で装置筐体１０を担体３０の周囲に鋳造する、または２つ以上の別体のシェル部分としてその周囲に配置することが可能である。拡声器または拡声器筐体を取り巻く可撓性材料の封止リングまたは封止スリーブ（これ以上図示せず）は、装置筐体からの適正な音響封止を提供する。そのため格別に効率的且つ信頼性の高い製造が可能である。
【００３５】
以上１つの例示的実施形態を参照して本発明をさらに説明したが、本発明が決してそれに限定されないことは明らかになろう。反対に本発明の範囲内で多数の変更例および実施形態が可能である。
【図面の簡単な説明】
【００３６】
【図１】本発明による補聴器の例示的実施形態の近位図を示す。
【図２】図１の補聴器の遠位図を示す。
【図３】図１の補聴器の装着体の図を示す。
【図４】図１の補聴器の装置筐体の遠位図を示す。
【図５】図４の装置筐体のさらなる図を示す。
【図６】電池のない図４の装置筐体のさらなる遠位図を示す。
【図７】図４の装置筐体の内部部分の側面図を示す。
【図８】図６の内部部分の可撓性担体の側面図を示す。
【図１】
2009518942.tif 000003
【図２】
2009518942.tif 000004
【図３】
2009518942.tif 000005
【図４】
2009518942.tif 000006
【図５】
2009518942.tif 000007
【図６】
2009518942.tif 000008
【図７】
2009518942.tif 000009
【図８】
2009518942.tif 000010
【国際調査報告】
2009518942.tif 000011
2009518942.tif 000012
2009518942.tif 000013
2009518942.tif 000014
2009518942.tif 000015
2009518942.tif 000016